(57)【要約】【課題】  建築基準法の設置基準を遵守できる自動販売機用固定金具の提供。【解決手段】  底面四隅にレベリングスクリューを有する自動販売機を設置個所にアンカーボルトを介して固定する自動販売機用固定金具であって、外周縁に垂下リブ壁２を有する本体１の両側部に、隣接する自動販売機のレベリングスクリューを挿入する一対の挿入スリット３・３を外部と連通する状態に貫設する一方、該各挿入スリット３・３の中間部に上記アンカーボルトを挿入する挿入長孔４を貫設することにより、自動販売機を並列に連続して固定する場合に、隣接する自動販売機の間で共用すれば、１枚の固定金具で、２台の自動販売機を固定することが可能となるので、極めて経済的となると共に、アンカーボルトの孔ピッチを十分に離すことができるので、建築基準法に定める孔ピッチを遵守できる。【選択図】          図１
2005182686.tif 000002
【特許請求の範囲】
【請求項１】
底面四隅にレベリングスクリューを有する自動販売機を設置個所にアンカーボルトを介して固定する自動販売機用固定金具であって、外周縁に垂下リブ壁を有する本体の両側部に、隣接する自動販売機のレベリングスクリューを挿入する一対の挿入スリットを外部と連通する状態に貫設する一方、該各挿入スリットの中間部に上記アンカーボルトを挿入する挿入長孔を貫設したことを特徴とする自動販売機用固定金具。
【請求項２】
挿入長孔が一対の挿入スリットに対して平行していることを特徴とする請求項１記載の自動販売機用固定金具。
【発明の詳細な説明】
【技術分野】
【０００１】
本発明は、各種自動販売機を所定の設置個所に固定するために使用される固定金具に関するものである。
【背景技術】
【０００２】
従来のこの種固定金具は、具体的には図示しないが、外周縁に垂下リブ壁を有する楕円状の本体に、設置個所の基礎部分に埋設されるアンカーボルトを挿入する挿入丸孔と、自動販売機の底面四隅に取り付けられたレベリングスクリューを挿入する達磨孔とを貫設する構成となっている（例えば、特許文献１参照）。
【０００３】
そして、実際に、この固定金具を用いて自動販売機を固定する場合には、まず、設置個所の基礎部分の前後・左右に４枚の固定金具をアンカーボルトを介して固設した後、自動販売機全体を持ち上げながら、自動販売機の底面四隅に取り付けられているレベリングスクリューを対応する各達磨孔の大径部に上方から挿入して、一旦、自動販売機を基礎部分面上に載置し、次いで、自動販売機自体を基礎部分を案内として後方へスライドさせると、各レベリングスクリューが対応する達磨孔の小径部に移行して、その先端にナットを介して設けられているフランジ部が本体の達磨孔の孔縁と基礎部分間で挾持されるので、これにより、自動販売機が設置個所に固定されることとなる。又、固定された自動販売機の隣に別の自動販売機を固定する場合も、上記と同様に、４枚の固定金具を用いた作業を繰り返すことにより、同様な固定状態が得られることとなる。
【特許文献１】特開平９−７３５８２号公報
【発明の開示】
【発明が解決しようとする課題】
【０００４】
従って、従来の固定金具の下では、自動販売機の四隅を強固に固定できるので、地震などにより、自動販売機が容易に転倒する恐れが少なくなる利点を有するが、反面、１台の自動販売機を固定するためには、４枚の固定金具を絶対に必要とする関係で、４本のアンカーボルトを埋設する煩雑な作業が強いられることとなるので、作業性が低下することは言うまでもないが、これに加えて、各レベリングスクリューを対応する達磨孔の大径部に挿入する場合には、自動販売機全体をバールなどを用いて上方に持ち上げなければならないので、この点からも、作業性の低下が大いに助長されることとなる。
【０００５】
又、複数の自動販売機を並列に連続して固定する場合にも、各自動販売機毎で４枚の固定金具を必要とする訳であるが、この場合には、隣接する部分で、固定金具同士が近接して固定されることとなるので、建築基準法で定められた間隔基準、即ち、アンカーボルト孔からアンカーボルト孔までの孔ピッチが１２０〜１５０ミリ以上であることが遵守されなくなったり、或いは、隣接する自動販売機の間隔が不揃いとなって、外観上の見栄えが害される恐れがあった。
【課題を解決するための手段】
【０００６】
本発明は、斯かる従来の固定金具が抱える課題を有効に解決するために開発されたもので、請求項１記載の発明は、底面四隅にレベリングスクリューを有する自動販売機を設置個所にアンカーボルトを介して固定する自動販売機用固定金具であって、外周縁に垂下リブ壁を有する本体の両側部に、隣接する自動販売機のレベリングスクリューを挿入する一対の挿入スリットを外部と連通する状態に貫設する一方、該各挿入スリットの中間部に上記アンカーボルトを挿入する挿入長孔を貫設したことを特徴とする。
【０００７】
請求項２記載の発明は、請求項１を前提として、挿入長孔が一対の挿入スリットに対して平行していることを特徴とする。
【発明の効果】
【０００８】
依って、請求項１記載の発明にあっては、特に、自動販売機を並列に連続して固定する場合に、隣接する自動販売機の間で共用すれば、１枚の固定金具で、２台の自動販売機を固定することが可能となるので、極めて経済的となるばかりか、アンカーボルトを埋設する作業も共用される１板の固定金具毎で行なえば良いので、作業性が著しく向上すると共に、アンカーボルトの孔ピッチを十分に離すことができるので、建築基準法に定める孔ピッチを遵守できる。しかも、隣接する自動販売機の間隔は、本体の両側部に貫設された一対の挿入スリット間の巾寸法によって決定されるので、常に、隣接する自動販売機の間隔を一定に保てる結果、外観上の見栄えも大いに向上する。
【０００９】
請求項２記載の発明にあっては、アンカーボルトの挿入長孔がレベリングスクリューの挿入スリットと平行となっているので、特に、前側のアンカーボルトの埋設位置を自由に決定できる。
【発明を実施するための最良の形態】
【００１０】
本発明は、固定金具本体の両側部に対して、隣接する自動販売機のレベリングスクリューを挿入する一対の挿入スリットを外部と連通する状態に貫設することにより、自動販売機を並列に連続して固定する場合に、隣接する自動販売機の間で共用すれば、１枚の固定金具で、２台の自動販売機を一緒に固定することを可能とするものである。
【実施例】
【００１１】
以下、本発明を図示する好適な実施例に基づいて詳述すれば、該実施例に係る固定金具も、自動販売機の四隅を固定することを意図して開発されたものであるが、従来と異なるところは、１枚の固定金具を共用して、隣接する自動販売機同士を同時に固定せんとするもので、その具体的な構造は、図１に示す如く、外周縁に垂下リブ壁２を有する本体１の両側部に、隣接する自動販売機のレベリングスクリューを挿入する一対の挿入スリット３・３を外部と連通する状態に貫設する一方、該各挿入スリット３・３の中間部にアンカーボルトを挿入する挿入長孔４を貫設する構成となっている。
【００１２】
尚、上記した各挿入スリット３・３は、その外部と連通する開口部３ａを拡開して、対応するレベリングスクリューの挿入を容易とならしめ、且つ、挿入長孔４は、一対の挿入スリット３・３と平行となるように貫設されている。又、本体１の下面と設置個所の基礎部分面間には、上記垂下リブ壁２の高さ分の隙間が画成されることとなるが、この隙間は、後述するレベリングスクリューの先端にナットを介して設けられているフランジ部の肉厚と略同等又は若干高く設定されている。
【００１３】
又、固定の対象となる自動販売機５は、図２に示す如く、その底面四隅に先端にナット７を介して設けられたフランジ部８を有する４本のレベリングスクリュー６を取り付けるものとする。
【００１４】
依って、斯かる構成の固定金具を用いて、上記自動販売機５の四隅を設置個所の基礎部分１０に固定する場合には、まず、最初に、図３に示す如く、各自動販売機５の後側左右のレベリングスクリュー６の間隔巾を考慮して、当該間隔巾と各固定金具の内側に位置する挿入スリット３・３の間隔が一致するように、後側の固定金具本体１をその挿入長孔４を介してアンカーボルト９で順に固設する。尚、この時には、本体１に貫設された一対の挿入スリット３・３の各開口部３ａが手前側に向くように固設するものとする。
【００１５】
次いで、斯かる状態を得て、自動販売機５の後側のレベリングスクリュー６が、左右で、対応する挿入スリット３・３の各開口部３ａと向き合うように、基礎部分１０上に１台の自動販売機５を載置して、そのまま、上記した予め固設されている固定金具本体１に向かって押し込むと、図４に示す如く、自動販売機５の後側のレベリングスクリュー６が対応する左右の挿入スリット３・３内に挿入されて、当該レベリングスクリュー６の先端に設けられているフランジ部８が挿入スリット３のスリット縁と基礎部分１０間に挾持されるので、これにより、１台目の自動販売機５の後側が確実に固定されることとなる。
【００１６】
そこで、今度は、もう一台目の自動販売機５を同様に基礎部分１０上に載置して、そのまま、やはり、予め固設されている固定金具本体１に向かって押し込むと、図５に示す如く、隣接する部位では、もう一台目の自動販売機５のレベリングスクリュー６が、共用の本体１で使用されていない外側の挿入スリット３内に挿入されると同時に、別の固定金具本体１の内側の挿入スリット３内に挿入されることとなるので、これにより、もう一台目の自動販売機５の後側もやはり確実に固定されることとなる。従って、固定金具を所定の間隔をおいて予め固設しておいて、この作業を繰り返し行なえば、複数台の自動販売機５の後側を並列に連続して固定することが可能となる。
【００１７】
そして、今度は、自動販売機５の前側を固定する訳であるが、この場合には、図６に示す如く、既に後側が固定されている自動販売機５の前側左右のレベリングスクリュー６に対して、対応する固定金具本体１を向かい合わせて押し込むと、左右のレベリングスクリュー６が固定金具本体１の内側の挿入スリット３・３内に挿入されて、各固定金具本体１の中央に位置する挿入長孔４の上方には何ら邪魔物が存在しないこととなるので、この状態のまま、図７に示す如く、端部側で独立する固定金具と共用する固定金具とを、順次、挿入長孔４から基礎部分１０に埋設されたアンカーボルト９で固設すれば、これにより、各自動販売機５の四隅が最終的に固定されることとなる。
【００１８】
従って、本実施例の下では、端部側の固定金具は別としても、隣接する自動販売機５の間で共用される固定金具は、１本のアンカーボルト９を利用して固設できるので、アンカーボルト９の埋設作業が頗る簡素化できると共に、自動販売機５の各レベリングスクリュー６を固定金具本体１の挿入スリット３・３内に挿入する場合にも、一々、自動販売機５をバールなどで持ち上げる必要が全くなくなるので、この点からも、固定作業の向上が大いに期待できることとなる。
【００１９】
その上、隣接する自動販売機５の間で共用される１枚の固定金具で、２台の自動販売機５を固定することが可能となるので、４枚が必要とされた従来の固定金具と比較すると、使用する枚数も削減できる結果、頗る経済的であることは言うまでもないが、アンカーボルト９のボルト孔同士の間隔を、建築基準法で定められた間隔基準、即ち、アンカーボルト孔からアンカーボルト孔までの孔ピッチが１２０から１５０ミリ以上であることを遵守できることとなるので、これからの固定金具としては、その実用性が極めて甚大となる。
【００２０】
しかも、本実施例では、隣接する自動販売機５は、固定金具本体１に貫設されている挿入スリット３・３同士の間隔で決定される関係で、隣接する自動販売機５の間隔を一定に保てるので、外観上の見栄えも大いに向上することとなる。又、後側も同様であるが、特に、前側を固定するために、アンカーボルト９を埋設する場合には、その挿入長孔４の寸法を利用して、アンカーボルト９の埋設位置を自由に決定できるので、この点からも、固定作業の向上が更に期待できることとなる。
【産業上の利用可能性】
【００２１】
本発明に係る自動販売機用固定金具は、最近の建築基準法に基づいた使用が可能となるので、これからの固定金具としては頗る好都合のものとなる。
【図面の簡単な説明】
【００２２】
【図１】本発明の実施例に係る自動販売機用固定金具を示す斜視図である。
【図２】自動販売機の構造を示す要部斜視図である。
【図３】後側の固定金具をアンカーボルトで固定した状態を示す説明図である。
【図４】後側の固定金具の挿入スリット内に後側のレベリングスクリューを挿入した状態を示す説明図である。
【図５】もう一台の自動販売機の後側のレベリングスクリューを挿入スリット内に挿入した状態を示す説明図である。
【図６】前側の固定金具の挿入スリット内に前側のレベリングスクリューを挿入した状態を示す説明図である。
【図７】前側の固定金具をアンカーボルトで固定した状態を示す説明図である。
【符号の説明】
【００２３】
１    固定金具本体
２    垂下リブ壁
３    挿入スリット
３ａ  挿入スリットの開口部
４    挿入長孔
５    自動販売機
６    レベリングスクリュー
７    ナット
８    フランジ部
９    アンカーボルト
１０  設置個所の基礎部分
【図１】
2005182686.tif 000003
【図２】
2005182686.tif 000004
【図３】
2005182686.tif 000005
【図４】
2005182686.tif 000006
【図５】
2005182686.tif 000007
【図６】
2005182686.tif 000008
【図７】
2005182686.tif 000009